(57)【要約】      （修正有）【課題】使用状態においてユーザの両手を自由に使用することができる携帯用ファンを提供する。【解決手段】帯状体に着脱自在に取り付けられる基部３と、前記基部に取り付けられ、前記基部の主面に略直交する第１軸を中心に回動し、電源を収容する筐体５と、前記第１軸に略直交する第２軸を中心に回動自在に前記筐体に取り付けられ、前記電源からの電力により送風する送風部７とを具備する。【選択図】図４
0003225909.tif 000002
【実用新案登録請求の範囲】
【請求項１】
帯状体に着脱自在に取り付けられる基部と、
前記基部に取り付けられ、前記基部の主面に略直交する第１軸を中心に回動し、電源を収容する筐体と、
前記第１軸に略直交する第２軸を中心に回動自在に前記筐体に取り付けられ、前記電源からの電力により送風する送風部と、
を具備することを特徴とする携帯用ファン。
【請求項２】
前記筐体は、前記基部に対して実質的に１８０度回動すること、
を特徴とする請求項１に記載の携帯用ファン。
【請求項３】
前記送風部は、前記筐体に対向する閉じた位置と、前記筐体と隣り合う開いた位置と、の間における所望の位置を取ること、
を特徴とする請求項２に記載の携帯用ファン。
【考案の詳細な説明】
【技術分野】
【０００１】
本考案は、携帯用ファンに関し、特に、リュックサックなどのストラップに着脱自在に取り付けられる携帯用ファンに関する。
【背景技術】
【０００２】
例えば、ハンドル部と、ハンドル部に支持された送風部とを備え、送風部におけるインペラ駆動手段の駆動によってインペラが回転して旋回風が前方に送り出されるようにしたハンディファンが知られている（例えば特許文献１）。
【先行技術文献】
【特許文献】
【０００３】
【特許文献１】実用新案登録第３２２４７１０号公報
【考案の概要】
【考案が解決しようとする課題】
【０００４】
しかし、上述したハンディファンでは、手で把持した状態での使用が想定されているため、ユーザは、ハンディファンを使用した状態で両手を自由に使用することができない。
【０００５】
そこで、本考案は、使用状態において両手を自由に使用することができる携帯用ファンの提供を目的とする。
【課題を解決するための手段】
【０００６】
上述した課題を解決すべく、本考案は、
帯状体に着脱自在に取り付けられる基部と、
前記基部に取り付けられ、前記基部の主面に略直交する第１軸を中心に回動し、電源を収容する筐体と、
前記第１軸に略直交する第２軸を中心に回動自在に前記筐体に取り付けられ、前記電源からの電力により送風する送風部と、
を具備することを特徴とする携帯用ファン
を提供する。
【０００７】
本考案の携帯用ファンでは、前記筐体は、前記基部に対して実質的に１８０度回動すること、が好ましい。
【０００８】
また、本考案の携帯用ファンでは、前記送風部は、前記筐体に対向する閉じた位置と、前記筐体と隣り合う開いた位置と、の間における所望の位置を取ること、が好ましい。
【考案の効果】
【０００９】
本考案の携帯用ファンを用いることにより、携帯用ファンはかばんに固定されるため、使用状態において両手を自由に使用することができる。
【図面の簡単な説明】
【００１０】
【図１】閉じた状態のファン１の正面図、背面図、左右側面図である。
【図２】開いた状態のファン１の正面図、左右側面図である。
【図３】半ば開いた状態のファン１の正面図及び右側面図である。
【図４】ファン１のストラップＳへの取付手順を示す図である。
【考案を実施するための形態】
【００１１】
以下、本考案の代表的な実施形態に係る携帯用ファンについて、図面を参照しつつ詳細に説明する。ただし、本考案は、以下の実施形態に限られない。図面は、本考案を概念的に説明するためのものであるから、理解容易のために、必要に応じて寸法、比又は数を誇張又は簡略化して表している場合もある。
【００１２】
本実施形態に係る携帯用ファン１（以下、単にファン１という。）の構成を説明する。ファン１は、リュックサックなどのかばんに取り付けられた状態で使用されるものであり、図１に示すように、基部３、筐体５、送風部７を含む。ただし、一定の幅を有するストラップを持つ構造体である帯状体であれば、ファン１を取り付けることが可能であり、また、ユーザの腕にファン１を取り付けてもよい。
【００１３】
基部３は、本実施形態では平坦な部材であり、かばんのショルダーストラップＳに着脱自在に取り付けられる。基部３は、面ファスナ９１とリング９３からなるベルト９を有し、かかるベルト９を介してショルダーストラップＳに固定される。
【００１４】
筐体５は、電源としての二次電池（図示せず）を収容する略直方体状のケースであり、基部３に取り付けられている。筐体５は、基部３の主面Ｍに略直交する軸Ａ（第１軸）を中心に回動する（図１（Ｃ）及び図４参照）。筐体５は、基部３に対して、ある基準位置から時計回り及び半時計回りにそれぞれ９０度程度、つまり合計で１８０度ほど回動すれば足りる。
【００１５】
筐体５は、電源のオン・オフ及び風量を調節するためのスイッチ５１、電源ランプ５３、並びに、電源コネクタ５５（例えばＵＳＢ端子）を含む。また、電源としてはリチウムイオン電池が好適に用いられるが、他の種類の二次電池でもよい。電源コネクタとしてＵＳＢ端子が採用される場合には、二次電池はＵＳＢケーブルを介して再充電されてもよい。
【００１６】
送風部７は、二次電池から供給される電力により送風する部材であり、筐体５に回動自在に取り付けられている。より具体的には、送風部７は、筐体５の一辺に沿った軸Ｂ（第２軸）を中心に約１８０度回動するように筐体５に取り付けられている。したがって、送風部７は、ガード７１が筐体５のある主面Ｍに対向するように配置される閉じた位置（図１参照）と、当該ガード７１が筐体５の当該主面Ｍと略同じ方向を向くように配置される開いた位置（図２参照）と、の間で所望の位置を取ることができる。例えば図３に示すように、送風部７は、筐体５と略直交する位置を取ることができる。
【００１７】
送風部７は、羽根７３、電源から電力供給を受けて羽根７３を回転させる電動モータ（図示せず）、並びに、羽根７３及び電動モータを収容するガード７１を含む。
【００１８】
次いで、ファン１の使用方法を説明する。
図４（Ａ）に示すように、ファン１を閉じておき、ファン１を取り付けようとするショルダーストラップ上の位置を決める。次いで、図４（Ｂ）のように、ベルト９をストラップＳに巻き付けて、面ファスナ９１で固定する。そして、送風部７を開く角度及び筐体５の回動角度を調整することで、ファン１の風向きを所望の方向（例えばユーザの顔の方向）に向ける。
【００１９】
このようにファン１はかばんのストラップＳに固定されるため、ファン１を使用した状態において、ユーザは両手を自由に使用することができる。したがって、例えば、ファン１で涼みながら、両手で作業をしたり、スマートフォンなどの携帯端末を操作したりすることが可能となり、便利である。
【００２０】
以上、本考案の代表的な実施形態について説明したが、本考案はこれに限定されるものではなく、種々の設計変更が可能であり、それらも本考案に含まれる。
【符号の説明】
【００２１】
１・・・ファン
３・・・基部
５・・・筐体
７・・・送風部
９・・・ベルト
【図１】
0003225909.tif 000003
【図２】
0003225909.tif 000004
【図３】
0003225909.tif 000005
【図４】
0003225909.tif 000006